(57)【要約】【課題】  第１通信システムから第２通信システムへの遷移において、第２通信システムと移動通信端末との間で設定されるＰＳベアラのリソースを有効に利用することを可能とする移動通信システム、ネットワーク装置及び移動通信方法を提供する。【解決手段】  第１通信システムと移動通信端末との間で設定される第１通信呼のベアラを第２通信システムと移動通信端末との間で設定される第１通信呼のベアラに切り替えるハンドオーバ手順において、第２通信システムは、第１通信システムと移動通信端末との間で第１通信呼が設定されていたか否か、或いは、第１通信システムと移動通信端末との間で設定される第１通信呼のデータ量に基づいて、第２通信システムと移動通信端末との間で第１通信呼のベアラを設定するか否かを判定する。【選択図】  図３
2011166655.tif 000002
【特許請求の範囲】
【請求項１】
第１通信呼をサポートする第１通信システムと、前記第１通信呼及び第２通信呼の双方をサポートする第２通信システムとを備えており、前記第１通信システムと移動通信端末との間で設定される第１通信呼のベアラを前記第２通信システムと移動通信端末との間で設定される第１通信呼のベアラに切り替えるハンドオーバ手順を行うように構成された移動通信システムであって、
前記第２通信システムは、前記ハンドオーバ手順において、前記第１通信システムと移動通信端末との間で第１通信呼が設定されていたか否か、或いは、前記第１通信システムと移動通信端末との間で設定される第１通信呼のデータ量を識別し、
前記第２通信システムは、前記第１通信システムと移動通信端末との間で第１通信呼が設定されていたか否か、或いは、前記第１通信システムと移動通信端末との間で設定される第１通信呼のデータ量に基づいて、前記第２通信システムと移動通信端末との間で第１通信呼のベアラを設定するか否かを判定することを特徴とする移動通信システム。
【請求項２】
前記第２通信システムは、前記第１通信システムと移動通信端末との間で第１通信呼が設定されていなかった場合に、或いは、前記第１通信システムと移動通信端末との間で設定される第１通信呼のデータ量が所定閾値以下である場合に、前記第２通信システムと移動通信端末との間で第１通信呼のベアラを設定せずに、第１通信呼の設定はできないが、第２通信呼の設定は可能であることを前記第１通信システムに通知することを特徴とする請求項１に記載の移動通信システム。
【請求項３】
前記第１通信システムは、前記第２通信呼をサポートしておらず、
前記第１通信システムにおいて第２通信呼の設定が要求された場合に、前記ハンドオーバ手順が開始し、
前記第２通信システムは、前記第１通信システムと移動通信端末との間で第１通信呼が設定されていなかった場合に、或いは、前記第１通信システムと移動通信端末との間で設定される第１通信呼のデータ量が所定閾値以下である場合に、前記第２通信システムと移動通信端末との間で第１通信呼のベアラを設定した上で、設定された第１通信呼を解放することを特徴とする請求項１に記載の移動通信システム。
【請求項４】
前記第２通信システムは、前記第１通信システムと移動通信端末との間で第１通信呼が設定されていなかった場合に、或いは、前記第１通信システムと移動通信端末との間で設定される第１通信呼のデータ量が所定閾値以下である場合に、前記第２通信システムと移動通信端末との間で第１通信呼のベアラを省リソースで設定することを特徴とする請求項１に記載の移動通信システム。
【請求項５】
前記第１通信システムは、前記第２通信呼をサポートしておらず、
前記第１通信システムにおいて第２通信呼の設定が要求された場合に、前記ハンドオーバ手順が開始し、
前記第１通信システムは、第１通信呼の設定はできないが、第２通信呼の設定は可能であることが通知された場合に、前記ハンドオーバ手順を中止して、他の手順による前記第２通信システムへの切り替えを移動通信端末に指示することを特徴とする請求項２に記載の移動通信システム。
【請求項６】
前記第１通信システムは、前記ハンドオーバ手順において、前記第１通信システムと移動通信端末との間で第１通信呼が設定されていたか否か、或いは、前記第１通信システムと移動通信端末との間で設定される第１通信呼のデータ量を前記第２通信システムに通知することを特徴とする請求項１に記載の移動通信システム。
【請求項７】
第１通信呼をサポートする第１通信システムと、前記第１通信呼及び第２通信呼の双方をサポートする第２通信システムとを備えており、前記第１通信システムと移動通信端末との間で設定される第１通信呼のベアラを前記第２通信システムと移動通信端末との間で設定される第１通信呼のベアラに切り替えるハンドオーバ手順を行うように構成された移動通信システムにおいて、前記第１通信システムに設けられるネットワーク装置であって、
前記ハンドオーバ手順において、前記第１通信システムと移動通信端末との間で第１通信呼が設定されていたか否か、或いは、前記第１通信システムと移動通信端末との間で設定される第１通信呼のデータ量を前記第２通信システムに通知するように構成された通知部を備えることを特徴とするネットワーク装置。
【請求項８】
第１通信呼をサポートしており、第２通信呼をサポートしていない第１通信システムと、前記第１通信呼及び前記第２通信呼の双方をサポートする第２通信システムとを備えており、前記第１通信システムにおいて第２通信呼の設定が要求された場合に、前記第１通信システムと移動通信端末との間で設定される第１通信呼のベアラを前記第２通信システムと移動通信端末との間で設定される第１通信呼のベアラに切り替えるハンドオーバ手順を行うように構成された移動通信システムにおいて、前記第１通信システムに設けられるネットワーク装置であって、
前記第１通信システムと移動通信端末との間で第１通信呼が設定されていなかった場合に、或いは、前記第１通信システムと移動通信端末との間で設定される第１通信呼のデータ量が所定閾値以下である場合に、前記ハンドオーバ手順を中止して、他の手順による前記第２通信システムへの切り替えを移動通信端末に指示するように構成された指示部を備えることを特徴とするネットワーク装置。
【請求項９】
第１通信呼をサポートする第１通信システムと、前記第１通信呼及び第２通信呼の双方をサポートする第２通信システムとを備えており、前記第１通信システムと移動通信端末との間で設定される第１通信呼のベアラを前記第２通信システムと移動通信端末との間で設定される第１通信呼のベアラに切り替えるハンドオーバ手順を行うように構成された移動通信システムにおいて、前記第２通信システムに設けられるネットワーク装置であって、
前記ハンドオーバ手順において、前記第１通信システムと移動通信端末との間で第１通信呼が設定されていたか否か、或いは、前記第１通信システムと移動通信端末との間で設定される第１通信呼のデータ量を識別するように構成された識別部と、
前記第１通信システムと移動通信端末との間で第１通信呼が設定されていたか否か、或いは、前記第１通信システムと移動通信端末との間で設定される第１通信呼のデータ量に基づいて、前記第２通信システムと移動通信端末との間で第１通信呼のベアラを設定するか否かを判定するように構成された判定部とを備えることを特徴とするネットワーク装置。
【請求項１０】
第１通信呼をサポートする第１通信システムと、前記第１通信呼及び第２通信呼の双方をサポートする第２通信システムとを備えており、前記第１通信システムと移動通信端末との間で設定される第１通信呼のベアラを前記第２通信システムと移動通信端末との間で設定される第１通信呼のベアラに切り替えるハンドオーバ手順を行うように構成された移動通信システムに適用される移動通信方法であって、
前記第２通信システムが、前記ハンドオーバ手順において、前記第１通信システムと移動通信端末との間で第１通信呼が設定されていたか否か、或いは、前記第１通信システムと移動通信端末との間で設定される第１通信呼のデータ量を識別するステップと、
前記第２通信システムが、前記第１通信システムと移動通信端末との間で第１通信呼が設定されていたか否か、或いは、前記第１通信システムと移動通信端末との間で設定される第１通信呼のデータ量に基づいて、前記第２通信システムと移動通信端末との間で第１通信呼のベアラを設定するか否かを判定するステップとを備えることを特徴とする移動通信方法。
【発明の詳細な説明】
【技術分野】
【０００１】
本発明は、第１通信システム及び第２通信システムを含む移動通信システム、移動通信システムに設けられるネットワーク装置、移動通信システムに適用される移動通信方法に関する。
【背景技術】
【０００２】
近年、ＣＳ（Ｃｉｒｃｕｉｔ  Ｓｗｉｔｃｈｉｎｇ）呼をサポートしていない第１通信システム（第１ＲＡＴ（Ｒａｄｉｏ  Ａｃｃｅｓｓ  Ｔｅｃｈｎｏｒｏｌｇｙ）が知られている。第１通信システムは、例えば、ＬＴＥ（Ｌｏｎｇ  Ｔｅｒｍ  Ｅｖｏｌｕｔｉｏｎ）に対応する通信システムである。
【０００３】
このような第１通信システムにおける移動通信端末（ＵＥ）のＣＳ呼の着信又は発信を制御する方式として、ＣＳ  ＦＡＬＬ  ＢＡＣＫ（以下、ＣＳＦＢ）が知られている（例えば、非特許文献１〜５）。
【０００４】
ＣＳＦＢでは、ＣＳ呼をサポートする第２通信システム（第２ＲＡＴ）への遷移が移動通信端末（ＵＥ）に指示される。ここで、第２通信システムへの遷移方法として、第１通信システムで設定されたＰＳ（Ｐａｃｋｅｔ  Ｓｗｉｔｃｈｉｎｇ）呼を第２通信システムにＩｎｔｅｒ−Ｒａｔハンドオーバする方式（以下、ＰＳハンドオーバ）が知られている。ＰＳハンドオーバでは、第２通信システムでＰＳ呼が設定された後に、第２通信システムでＣＳ呼が設定される。
【０００５】
具体的には、ＰＳハンドオーバにおいて、移動通信端末が第１通信システムで待ち受け中である場合に、移動通信端末と第１通信システムとの間でＰＳ呼が設定された上で、第１通信システムで設定されたＰＳ呼が第２通信システムに引き継がれる。
【０００６】
或いは、ＰＳハンドオーバにおいて、移動通信端末が第１通信システムで通信中である場合に、移動通信端末と第１通信システムとの間で設定されていたＰＳ呼が第２通信システムに引き継がれる。
【０００７】
なお、ＰＳハンドオーバは、特に、第１通信システムでＰＳ通信中である場合に、当該ＰＳ呼を第２通信システムに引き継ぐことによって、ＰＳ通信をとぎれさせずに、第２通信システムに移動通信端末が接続できる点で有利とされている。
【先行技術文献】
【非特許文献】
【０００８】
【非特許文献１】３ＧＰＰ  ＴＳ２３．２７２  Ｖ９．２．０
【非特許文献２】３ＧＰＰ  ＴＳ２５．３３１  Ｖ９．１．０
【非特許文献３】３ＧＰＰ  ＴＳ３６．３３１  Ｖ９．１．０
【非特許文献４】３ＧＰＰ  ＴＳ２５．４１３  Ｖ９．１．０
【非特許文献５】３ＧＰＰ  ＴＳ３６．４１３  Ｖ９．１．０
【発明の概要】
【発明が解決しようとする課題】
【０００９】
上述したように、ＰＳハンドオーバでは、第１通信システムでＰＳ呼が設定されていたか否かにかかわらず、第２通信システムと移動通信端末との間でＰＳベアラが設定される。一方で、第１通信システムにおける移動通信端末のＰＳ呼の利用状況を第２通信システムが把握していない状態で、ＰＳハンドオーバが行われる。
【００１０】
このようなＰＳハンドオーバでは、例えば、第１通信システムでＰＳ呼が設定されていなかった場合に、第２通信システムと移動通信端末との間で設定されるＰＳベアラが実際には利用されずに、設定されたＰＳベアラのリソースが無駄になってしまう。
【００１１】
そこで、本発明は、上述した課題を解決するためになされたものであり、第１通信システムから第２通信システムへの遷移において、第２通信システムと移動通信端末との間で設定されるＰＳベアラのリソースを有効に利用することを可能とする移動通信システム、ネットワーク装置及び移動通信方法を提供することを目的とする。
【課題を解決するための手段】
【００１２】
第１の特徴に係る移動通信システムは、第１通信呼をサポートする第１通信システムと、前記第１通信呼及び第２通信呼の双方をサポートする第２通信システムとを備える。移動通信システムは、前記第１通信システムと移動通信端末との間で設定される第１通信呼のベアラを前記第２通信システムと移動通信端末との間で設定される第１通信呼のベアラに切り替えるハンドオーバ手順を行うように構成される。前記第２通信システムは、前記ハンドオーバ手順において、前記第１通信システムと移動通信端末との間で第１通信呼が設定されていたか否か、或いは、前記第１通信システムと移動通信端末との間で設定される第１通信呼のデータ量を識別する。前記第２通信システムは、前記第１通信システムと移動通信端末との間で第１通信呼が設定されていたか否か、或いは、前記第１通信システムと移動通信端末との間で設定される第１通信呼のデータ量に基づいて、前記第２通信システムと移動通信端末との間で第１通信呼のベアラを設定するか否かを判定する。
【００１３】
第１の特徴において、前記第２通信システムは、前記第１通信システムと移動通信端末との間で第１通信呼が設定されていなかった場合に、或いは、前記第１通信システムと移動通信端末との間で設定される第１通信呼のデータ量が所定閾値以下である場合に、前記第２通信システムと移動通信端末との間で第１通信呼のベアラを設定せずに、第１通信呼の設定はできないが、第２通信呼の設定は可能であることを前記第１通信システムに通知する。
【００１４】
第１の特徴において、前記第１通信システムは、前記第２通信呼をサポートしておらず、前記第１通信システムにおいて第２通信呼の設定が要求された場合に、前記ハンドオーバ手順が開始する。前記第２通信システムは、前記第１通信システムと移動通信端末との間で第１通信呼が設定されていなかった場合に、或いは、前記第１通信システムと移動通信端末との間で設定される第１通信呼のデータ量が所定閾値以下である場合に、前記第２通信システムと移動通信端末との間で第１通信呼のベアラを設定した上で、設定された第１通信呼を解放する。
【００１５】
第１の特徴において、前記第２通信システムは、前記第１通信システムと移動通信端末との間で第１通信呼が設定されていなかった場合に、或いは、前記第１通信システムと移動通信端末との間で設定される第１通信呼のデータ量が所定閾値以下である場合に、前記第２通信システムと移動通信端末との間で第１通信呼のベアラを省リソースで設定する。
【００１６】
第１の特徴において、前記第１通信システムは、前記第２通信呼をサポートしておらず、前記第１通信システムにおいて第２通信呼の設定が要求された場合に、前記ハンドオーバ手順が開始する。前記第１通信システムは、第１通信呼の設定はできないが、第２通信呼の設定は可能であることが通知された場合に、前記ハンドオーバ手順を中止して、他の手順による前記第２通信システムへの切り替えを移動通信端末に指示する。
【００１７】
第１の特徴において、前記第１通信システムは、前記ハンドオーバ手順において、前記第１通信システムと移動通信端末との間で第１通信呼が設定されていたか否か、或いは、前記第１通信システムと移動通信端末との間で設定される第１通信呼のデータ量を前記第２通信システムに通知する。
【００１８】
第２の特徴に係るネットワーク装置は、第１通信呼をサポートする第１通信システムと、前記第１通信呼及び第２通信呼の双方をサポートする第２通信システムとを備えた移動通信システムにおいて、前記第１通信システムに設けられる。移動通信システムは、前記第１通信システムと移動通信端末との間で設定される第１通信呼のベアラを前記第２通信システムと移動通信端末との間で設定される第１通信呼のベアラに切り替えるハンドオーバ手順を行うように構成される。ネットワーク装置は、前記ハンドオーバ手順において、前記第１通信システムと移動通信端末との間で第１通信呼が設定されていたか否か、或いは、前記第１通信システムと移動通信端末との間で設定される第１通信呼のデータ量を前記第２通信システムに通知するように構成された通知部を備える。
【００１９】
第３の特徴に係るネットワーク装置は、第１通信呼をサポートしており、第２通信呼をサポートしていない第１通信システムと、前記第１通信呼及び前記第２通信呼の双方をサポートする第２通信システムとを備えた移動通信システムにおいて、前記第１通信システムに設けられる。移動通信システムは、前記第１通信システムにおいて第２通信呼の設定が要求された場合に、前記第１通信システムと移動通信端末との間で設定される第１通信呼のベアラを前記第２通信システムと移動通信端末との間で設定される第１通信呼のベアラに切り替えるハンドオーバ手順を行うように構成される。ネットワーク装置は、前記第１通信システムと移動通信端末との間で第１通信呼が設定されていなかった場合に、或いは、前記第１通信システムと移動通信端末との間で設定される第１通信呼のデータ量が所定閾値以下である場合に、前記ハンドオーバ手順を中止して、他の手順による前記第２通信システムへの切り替えを移動通信端末に指示するように構成された指示部を備える。
【００２０】
第４の特徴に係るネットワーク装置は、第１通信呼をサポートする第１通信システムと、前記第１通信呼及び第２通信呼の双方をサポートする第２通信システムとを備えた移動通信システムにおいて、前記第２通信システムに設けられる。移動通信システムは、前記第１通信システムと移動通信端末との間で設定される第１通信呼のベアラを前記第２通信システムと移動通信端末との間で設定される第１通信呼のベアラに切り替えるハンドオーバ手順を行うように構成される。ネットワーク装置は、前記ハンドオーバ手順において、前記第１通信システムと移動通信端末との間で第１通信呼が設定されていたか否か、或いは、前記第１通信システムと移動通信端末との間で設定される第１通信呼のデータ量を識別するように構成された識別部と、前記第１通信システムと移動通信端末との間で第１通信呼が設定されていたか否か、或いは、前記第１通信システムと移動通信端末との間で設定される第１通信呼のデータ量に基づいて、前記第２通信システムと移動通信端末との間で第１通信呼のベアラを設定するか否かを判定するように構成された判定部とを備える。
【００２１】
第５の特徴に係る移動通信方法は、第１通信呼をサポートする第１通信システムと、前記第１通信呼及び第２通信呼の双方をサポートする第２通信システムとを備えた移動通信システムに適用される。移動通信システムは、前記第１通信システムと移動通信端末との間で設定される第１通信呼のベアラを前記第２通信システムと移動通信端末との間で設定される第１通信呼のベアラに切り替えるハンドオーバ手順を行うように構成される。移動通信方法は、前記第２通信システムが、前記ハンドオーバ手順において、前記第１通信システムと移動通信端末との間で第１通信呼が設定されていたか否か、或いは、前記第１通信システムと移動通信端末との間で設定される第１通信呼のデータ量を識別するステップと、前記第２通信システムが、前記第１通信システムと移動通信端末との間で第１通信呼が設定されていたか否か、或いは、前記第１通信システムと移動通信端末との間で設定される第１通信呼のデータ量に基づいて、前記第２通信システムと移動通信端末との間で第１通信呼のベアラを設定するか否かを判定するステップとを備える。
【発明の効果】
【００２２】
本発明によれば、第１通信システムから第２通信システムへの遷移において、第２通信システムと移動通信端末との間で設定されるＰＳベアラのリソースを有効に利用することを可能とする移動通信システム、ネットワーク装置及び移動通信方法を提供することができる。
【図面の簡単な説明】
【００２３】
【図１】第１実施形態に係る移動通信システム１００を示す図である。
【図２】第１実施形態に係るネットワーク装置２０を示すブロック図である。
【図３】第１実施形態に係るネットワーク装置３０を示すブロック図である。
【図４】第１実施形態に係る移動通信システム１００の動作を示すシーケンス図である。
【発明を実施するための形態】
【００２４】
以下において、本発明の実施形態に係る移動通信システムについて、図面を参照しながら説明する。なお、以下の図面の記載において、同一又は類似の部分には、同一又は類似の符号を付している。
【００２５】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２６】
［実施形態の概要］
実施形態に係る移動通信システムは、第１通信呼をサポートする第１通信システムと、第１通信呼及び第２通信呼の双方をサポートする第２通信システムとを備える。移動通信システムは、第１通信システムと移動通信端末との間で設定される第１通信呼のベアラを第２通信システムと移動通信端末との間で設定される第１通信呼のベアラに切り替えるハンドオーバ手順（ＰＳハンドオーバ）を行うように構成される。
【００２７】
第２通信システムは、ハンドオーバ手順において、第１通信システムと移動通信端末との間で第１通信呼が設定されていたか否か、或いは、第１通信システムと移動通信端末との間で設定される第１通信呼のデータ量を識別する。第２通信システムは、第１通信システムと移動通信端末との間で第１通信呼が設定されていたか否か、或いは、第１通信システムと移動通信端末との間で設定される第１通信呼のデータ量に基づいて、第２通信システムと移動通信端末との間で第１通信呼のベアラを設定するか否かを判定する。
【００２８】
このように、第２通信システムは、ハンドオーバ手順において、第１通信システムと移動通信端末との間で第１通信呼が設定されていたか否か、或いは、第１通信システムと移動通信端末との間で設定される第１通信呼のデータ量に基づいて、第２通信システムと移動通信端末との間で第１通信呼のベアラを設定するか否かを判定する。
【００２９】
従って、第２通信システムと移動通信端末との間で設定される第１通信呼のベアラに使用されるリソースの無駄な消費を抑制して、第１通信呼のベアラに使用されるリソースを有効に利用することができる。
【００３０】
［第１実施形態］
（移動通信システムの構成）
以下において、第１実施形態に係る移動通信システムの構成について、図面を参照しながら説明する。図１は、第１実施形態に係る移動通信システム１００を示す図である。
【００３１】
図１に示すように、移動通信システム１００は、通信端末装置１０（以下、ＵＥ１０）と、コアネットワーク５０とを含む。また、移動通信システム１００は、第１通信システムと第２通信システムとを含む。
【００３２】
第１通信システムは、例えば、ＬＴＥ（Ｌｏｎｇ  Ｔｅｒｍ  Ｅｖｏｌｕｔｉｏｎ）に対応する通信システムである。第１通信システムは、例えば、基地局２１０（以下、ｅＮＢ２１０）と、ＭＭＥ２３０とを有する。なお、第１通信システムでは、第１ＲＡＴ（ＥＵＴＲＡＮ；Ｅｖｏｌｖｅｄ  Ｕｎｉｖｅｒｓａｌ  Ｔｅｒｒｅｓｔｒｉａｌ  Ａｃｃｅｓｓ  Ｎｅｔｗｏｒｋ）が用いられる。
【００３３】
第２通信システムは、例えば、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）に対応する通信システムである。第２通信システムは、基地局１１０（以下、ＮＢ１１０）と、ＲＮＣ１２０と、ＳＧＳＮ１３０とを有する。なお、第２通信システムでは、第２ＲＡＴ（ＵＴＲＡＮ；Ｕｎｉｖｅｒｓａｌ  Ｔｅｒｒｅｓｔｒｉａｌ  Ａｃｃｅｓｓ  Ｎｅｔｗｏｒｋ）が用いられる。
【００３４】
ここで、第１通信システムは、第１通信呼（例えば、ＰＳ呼）をサポートしており、第２通信呼（例えば、ＣＳ呼）をサポートしていない。また、第２通信システムは、第１通信呼（例えば、ＰＳ呼）及び第２通信呼（例えば、ＣＳ呼）の双方をサポートしている。
【００３５】
また、第１通信システムにおけるＵＥ１０の第２通信呼の着信又は発信を制御する方式として、ＣＳ  ＦＡＬＬ  ＢＡＣＫ（以下、ＣＳＦＢ）が知られている。
【００３６】
ＣＳＦＢでは、第２通信呼をサポートする第２通信システムへの遷移がＵＥ１０に指示される。ここで、第２通信システムへの遷移方法として、第１通信システムで設定される第１通信呼を第２通信システムにＩｎｔｅｒ−Ｒａｔハンドオーバする方式（以下、ＰＳハンドオーバ）が考えられる。
【００３７】
詳細には、ＰＳハンドオーバでは、第２通信システムとＵＥ１０との間で第１通信呼のベアラが新たに設定され、第１通信システムとＵＥ１０との間で設定される第１通信呼のベアラを第２通信システムとＵＥ１０との間で設定される第１通信呼のベアラに切り替える。その後、第２通信システムとＵＥ１０との間で第２通信呼が設定される。
【００３８】
ＵＥ１０は、第１通信システム及び第２通信システムと通信を行うように構成された装置（Ｕｓｅｒ  Ｅｑｕｉｐｍｅｎｔ）である。例えば、ＵＥ１０は、ＮＢ１１０と無線通信を行う機能を有するとともに、ｅＮＢ２１０と無線通信を行う機能を有する。
【００３９】
ＮＢ１１０は、セル１１１を有しており、セル１１１に存在するＵＥ１０と無線通信を行う装置（ＮｏｄｅＢ）である。
【００４０】
ＲＮＣ１２０は、ＮＢ１１０に接続されており、セル１１１に存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００４１】
ＳＧＳＮ１３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ１３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００４２】
ｅＮＢ２１０は、セル２１１を有しており、セル２１１に存在するＵＥ１０と無線通信を行う装置（ｅｖｏｌｖｅｄ  ＮｏｄｅＢ）である。
【００４３】
ＭＭＥ２３０は、ｅＮＢ２１０と無線接続を設定しているＵＥ１０の移動性を管理する装置（Ｍｏｂｉｌｉｔｙ  Ｍａｎａｇｅｍｅｎｔ  Ｅｎｔｉｔｙ）である。ＭＭＥ２３０は、コアネットワーク５０に設けられる。
【００４４】
なお、セルは、ＵＥ１０と無線通信を行う機能として理解すべきである。但し、セルは、セルと通信可能な範囲を示すサービスエリアと考えてもよい。セルは、セルで用いられる周波数、拡散コード又はタイムスロットなどによって識別される。
【００４５】
（ネットワーク装置の構成）
以下において、第１実施形態に係るネットワーク装置の構成について、図面を参照しながら説明する。図２は、第１実施形態に係るネットワーク装置２０を示す図である。
【００４６】
第１実施形態では、ネットワーク装置２０は、第２通信システムに設けられる。例えば、ネットワーク装置２０は、ＲＮＣ１２０である。
【００４７】
なお、第１実施形態では、第１通信システムにおいて、第２通信呼の着信又は発信によって、第２通信呼の設定が要求された場合に、ＣＳＦＢの手順として、ＰＳハンドオーバの手順が開始するケースについて説明する。以下においては、このようなケースにおいて、第２通信システムに設けられるネットワーク装置２０の機能について主として説明する。
【００４８】
図２に示すように、ネットワーク装置２０は、通信部２１と、識別部２２と、判定部２３と、設定部２４とを有する。
【００４９】
通信部２１は、第１通信システムに設けられるネットワーク装置（例えば、ｅＮＢ２１０）と通信を行う。例えば、通信部２１は、第１通信システムにおけるＵＥ１０の第１通信呼（ＰＳ呼）の設定状況を示す情報要素を受信する。
【００５０】
具体的には、通信部２１は、第１通信システムとＵＥ１０との間で第１通信呼が設定されていたか否かを示す情報要素を受信する。或いは、通信部２１は、第１通信システムとＵＥ１０との間で設定された第１通信呼のデータ量を示す情報要素を受信する。
【００５１】
なお、第１通信呼の設定状況を示す情報要素は、第１通信システムに設けられる他のネットワーク装置（ｅＮＢ２１０又はＭＭＥ２３０）からＳＧＳＮ１３０を経由して通知される。例えば、ＣＳＦＢ（ＰＳハンドオーバ）の手順において、ｅＮＢ２１０は、第１通信システムから第２通信システムへのＰＳハンドオーバを要求するメッセージ（ＨＡＮＤＯＶＥＲ  ＲＥＱＵＩＲＥＤ）に、第１通信呼の設定状況を示す情報要素を設定する。このようなメッセージ（ＨＡＮＤＯＶＥＲ  ＲＥＱＵＩＲＥＤ）は、ｅＮＢ２１０からＭＭＥ２３０に対して送信される。或いは、ＭＭＥ２３０は、ｅＮＢ２１０から受信するメッセージ（ＨＡＮＤＯＶＥＲ  ＲＥＱＵＩＲＥＤ）に、第１通信呼の設定状況を示す情報要素を設定してもよい。このようなメッセージ（ＨＡＮＤＯＶＥＲ  ＲＥＱＵＩＲＥＤ）は、ＭＭＥ２３０からＳＧＳＮ１３０を経由してＲＮＣ１２０に対して送信される。
【００５２】
また、第１通信呼の設定状況を示す情報要素は、ｅＮＢ２１０とＭＭＥ２３０との間のプロトコル（Ｓ１ＡＰ）で用いられる“Ｍｅｓｓａｇｅ  Ｃａｕｓｅ”に含まれてもよい。
【００５３】
識別部２２は、第１通信システムにおけるＵＥ１０の第１通信呼（ＰＳ呼）の設定状況を識別する。具体的には、識別部２２は、ＰＳハンドオーバの手順で他のネットワーク装置から受信するメッセージ（例えば、“ＲＥＬＯＣＡＴＩＯＮ  ＲＥＱＵＥＳＴ”）に基づいて、第１通信システムとＵＥ１０との間で第１通信呼が設定されていたか否かを識別する。或いは、識別部２２は、ＰＳハンドオーバの手順で他のネットワーク装置から受信するメッセージ（例えば、“ＲＥＬＯＣＡＴＩＯＮ  ＲＥＱＵＥＳＴ”）に基づいて、第１通信システムとＵＥ１０との間で設定された第１通信呼のデータ量を識別する。
【００５４】
判定部２３は、第１通信システムとＵＥ１０との間で第１通信呼が設定されていたか否か、或いは、第１通信システムとＵＥ１０との間で設定された第１通信呼のデータ量に基づいて、第２通信システムとＵＥ１０との間で第１通信呼のベアラを設定するか否かを判定する。詳細には、判定部２３は、以下に示すパターンで、第１通信呼を設定するか否かを判定する。
【００５５】
（１Ａ）判定部２３は、第１通信システムとＵＥ１０との間で第１通信呼が設定されていなかった場合に、或いは、第１通信システムとＵＥ１０との間で設定される第１通信呼のデータ量が所定閾値以下である場合に、第２通信システムとＵＥ１０との間で第１通信呼のベアラを設定しないと判定する。
【００５６】
（２Ａ）判定部２３は、第１通信システムとＵＥ１０との間で第１通信呼が設定されていなかった場合に、或いは、第１通信システムとＵＥ１０との間で設定される第１通信呼のデータ量が所定閾値以下である場合に、第２通信システムとＵＥ１０との間で第１通信呼のベアラを設定した上で、設定された第１通信呼を解放すると判定する。
【００５７】
（３Ａ）判定部２３は、第１通信システムとＵＥ１０との間で第１通信呼が設定されていなかった場合に、或いは、第１通信システムとＵＥ１０との間で設定される第１通信呼のデータ量が所定閾値以下である場合に、第２通信システムとＵＥ１０との間で第１通信呼を省リソースで設定すると判定する。なお、「省リソースで設定する」とは、例えば、ＤＴＣＨを設定せずに、ＤＣＣＨのみを設定することである。すなわち、省リソースは、後述する通常リソースよりも少ないリソースを示す用語である。
【００５８】
（４Ａ）判定部２３は、第１通信システムとＵＥ１０との間で第１通信呼が設定されていた場合に、或いは、第１通信システムとＵＥ１０との間で設定される第１通信呼のデータ量が所定閾値よりも多い場合に、第２通信システムとＵＥ１０との間で第１通信呼を通常リソースで設定すると判定する。なお、「通常リソースで設定する」とは、例えば、ＤＴＣＨ及びＤＣＣＨを設定することである。
【００５９】
設定部２４は、第２通信システムとＵＥ１０との間で第１通信呼のベアラを設定する。或いは、設定部２４は、第２通信システムとＵＥ１０との間で第２通信呼のベアラを設定する。具体的には、設定部２４は、判定部２３の判定結果に応じて、以下に示すパターンで、第１通信呼の設定を制御する。
【００６０】
（１Ｂ）設定部２４は、上述した（１Ａ）の判定結果に応じて、第２通信システムとＵＥ１０との間で第１通信呼のベアラを設定しない。さらに、設定部２４は、第１通信呼の設定はできないが、第２通信呼の設定は可能であることを第１通信システムに通知するように通信部２１に指示する。
【００６１】
（２Ｂ）設定部２４は、上述した（２Ａ）の判定結果に応じて、第２通信システムとＵＥ１０との間で第１通信呼のベアラを設定した上で、設定された第１通信呼を解放する。具体的には、設定部２４は、ＰＳハンドオーバの完了後、ＰＳハンドオーバで設定された第１通信呼を直ちに解放してもよい。或いは、設定部２４は、第１通信システムにおいて設定が要求された第２通信呼のベアラを設定した場合に、ＰＳハンドオーバで設定された第１通信呼を解放してもよい。
【００６２】
なお、設定部２４は、ＰＳハンドオーバで設定された第１通信呼のベアラを、第１通信システムにおいて設定が要求された第２通信呼に切り替えてもよい（ＳＲＶＣＣ；Ｓｉｎｇｌｅ  Ｒａｄｉｏ  Ｖｏｉｃｅ  Ｃａｌｌ  Ｃｏｎｔｉｎｕｉｔｙ）。
【００６３】
（３Ｂ）設定部２４は、上述した（３Ａ）の判定結果に応じて、ＰＳハンドオーバにおいて、第２通信システムとＵＥ１０との間で第１通信呼を省リソースで設定する。上述したように、設定部２４は、例えば、ＤＴＣＨを設定せずに、ＤＣＣＨのみを設定する。
【００６４】
（４Ｂ）設定部２４は、上述した（３Ｂ）の判定結果に応じて、ＰＳハンドオーバにおいて、第２通信システムとＵＥ１０との間で第１通信呼を通常リソースで設定する。上述したように、設定部２４は、例えば、ＤＴＣＨ及びＤＣＣＨを設定する。
【００６５】
（ネットワーク装置の構成）
以下において、第１実施形態に係るネットワーク装置の構成について、図面を参照しながら説明する。図３は、第１実施形態に係るネットワーク装置３０を示す図である。
【００６６】
第１実施形態では、ネットワーク装置３０は、第１通信システムに設けられる。例えば、ネットワーク装置３０は、ｅＮＢ２１０である。
【００６７】
なお、第１実施形態では、ＣＳＦＢの手順として、ＰＳハンドオーバの手順が開始するケースにおいて、第１通信システムに設けられるネットワーク装置３０の機能について主として説明する。
【００６８】
図３に示すように、ネットワーク装置３０は、通信部３１と、情報要素設定部３２と、遷移処理部３３とを有する。
【００６９】
通信部３１は、第２通信システムに設けられるネットワーク装置２０（例えば、ＲＮＣ１２０）と通信を行う。例えば、通信部３１は、第１通信システムにおけるＵＥ１０の第１通信呼（ＰＳ呼）の設定状況を示す情報要素を第２通信システムに送信する。第１通信呼（ＰＳ呼）の設定状況を示す情報要素は、上述したように、第１通信システムとＵＥ１０との間で第１通信呼が設定されていたか否かを示す情報要素、或いは、第１通信システムとＵＥ１０との間で設定される第１通信呼のデータ量を示す情報要素である。
【００７０】
通信部３１は、ＵＥ１０に対する着信要求（ｐａｇｉｎｇ）を上位ノード（ＭＭＥ２３０）から受信する。又は、通信部３１は、ＵＥ１０からの発信要求（ｏｒｉｇｉｎａｔｉｏｎ）をＵＥ１０から受信する。
【００７１】
情報要素設定部３２は、第１通信システムにおけるＵＥ１０の第１通信呼（ＰＳ呼）の設定状況を示す情報要素を設定する。具体的には、情報要素設定部３２は、第１通信システムとＵＥ１０との間で第１通信呼が設定されていたか否かを示す情報要素を設定する。或いは、情報要素設定部３２は、第１通信システムとＵＥ１０との間で設定される第１通信呼のデータ量を示す情報要素を設定する。
【００７２】
例えば、情報要素設定部３２は、無線接続の設定を要求するメッセージ（ＲＲＣ  ＣＯＮＮＥＣＴＩＯＮ  ＲＥＱＵＥＳＴ）を受信して、ＣＳＦＢ（ＰＳハンドオーバ）を開始する場合に、第１通信システムとＵＥ１０との間で第１通信呼が設定されていなかったことを示す情報要素を設定する。一方で、情報要素設定部３２は、無線接続の設定を要求するメッセージ（ＲＲＣ  ＣＯＮＮＥＣＴＩＯＮ  ＲＥＱＵＥＳＴ）を受信せずに、ＣＳＦＢ（ＰＳハンドオーバ）を開始する場合に、第１通信システムとＵＥ１０との間で第１通信呼が設定されていたことを示す情報要素を設定する。
【００７３】
或いは、情報要素設定部３２は、第１通信システムとＵＥ１０との間で設定されていた第１通信呼のデータ量を管理しており、第１通信呼のデータ量を示す情報要素を設定してもよい。
【００７４】
情報要素設定部３２は、ＰＳハンドオーバの手順において、第１通信システムから第２通信システムへのＰＳハンドオーバを要求するメッセージ（ＨＡＮＤＯＶＥＲ  ＲＥＱＵＩＲＥＤ）に上述した情報要素を設定する。
【００７５】
遷移処理部３３は、第１通信システムから第２通信システムへの遷移（ＣＳＦＢ）を制御する。具体的には、遷移処理部３３は、第１通信システムにおけるＵＥ１０の第１通信呼（ＰＳ呼）の設定状況に基づいて、ＣＳＦＢの方法を切り替える。
【００７６】
例えば、遷移処理部３３は、第１通信システムとＵＥ１０との間で第１通信呼が設定されていない場合に、或いは、第１通信システムとＵＥ１０との間で設定される第１通信呼のデータ量が所定閾値以下である場合に、ＰＳハンドオーバを中止して、他の手順（Ｒｅｄｉｒｅｃｔｉｏｎ、ＣＣＯ（Ｃｅｌｌ  Ｃｈａｎｇｅ  Ｏｒｄｅｒ）、ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）を開始する。具体的には、遷移処理部３３は、ＰＳベアラの設定はできないが、ＣＳベアラの設定は可能であることが通知された場合には、ＰＳハンドオーバを中止して、他の手順（Ｒｅｄｉｒｅｃｔｉｏｎ、ＣＣＯ（Ｃｅｌｌ  Ｃｈａｎｇｅ  Ｏｒｄｅｒ）、ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）を開始する。すなわち、遷移処理部３３は、他の手順による第２通信システムへの遷移をＵＥ１０に指示する。詳細には、遷移処理部３３は、このような指示情報の送信を通信部３１に指示する。
【００７７】
なお、遷移処理部３３は、他の手順による第２通信システムへの遷移に加えて、第２通信システムとＵＥ１０との間において、設定が要求された第２通信呼を設定するようにＵＥ１０に指示してもよい。
【００７８】
ここで、“Ｒｅｄｉｒｅｃｔｉｏｎ”は、ＵＥ１０を待ち受け状態（Ｉｄｌｅ状態）に遷移させた上で、第２通信システムにＵＥ１０を遷移させる手順である。“Ｒｅｄｉｒｅｃｔｉｏｎ”では、ＵＥ１０は、第２通信システムと第２通信呼の設定を新たに試みる。
【００７９】
“ＣＣＯ”は、ＵＥ１０を待ち受け状態（Ｉｄｌｅ状態）に遷移させた上で、第２通信システムにＵＥ１０を遷移させる手順である。“ＣＣＯ”では、ＵＥ１０は、第２通信システムと第１通信呼を設定した後に、第２通信システムと第２通信呼を設定する。
【００８０】
“ＳＲＶＣＣ”は、ＵＥ１０を待ち受け状態（Ｉｄｌｅ状態）に遷移させずに、第２通信システムにＵＥ１０を遷移させる手順である。“ＳＲＶＣＣ”では、ＵＥ１０は、第１通信システムと設定する第１通信呼を第２通信システムと設定する第２通信呼に切り替える。
【００８１】
遷移処理部３３は、第１通信システムとＵＥ１０との間で第１通信呼が設定されてる場合に、或いは、第１通信システムとＵＥ１０との間で設定される第１通信呼のデータ量が所定閾値よりも多い場合には、ＰＳハンドオーバを継続する。
【００８２】
（移動通信システムの動作）
以下において、第１実施形態に係る移動通信システムの動作について、図面を参照しながら説明する。図４は、第１実施形態に係る移動通信システム１００の動作を示すシーケンス図である。ここでは、ネットワーク装置２０がＲＮＣ１２０であるケースについて例示する。
【００８３】
以下においては、第１通信システムにおいて、第２通信呼の着信によって、第２通信呼の設定が要求された場合に、ＣＳＦＢの手順として、ＰＳハンドオーバの手順が開始するケースについて説明する。なお、第１通信呼がＰＳ呼であり、第２通信呼がＣＳ呼である。第１通信呼のベアラは、ＰＳベアラであり、第２通信呼のベアラは、ＣＳベアラである。また、第１通信システムがＬＴＥであり、第２通信システムがＵＭＴＳ（ＷＣＤＭＡ）であるケースについて例示する。
【００８４】
ここでは、第２通信呼（ＣＳ呼）の着信によって、ＰＳハンドオーバの手順によって、第１通信システムから第２通信システムへの遷移が行われるケースについて、図４を参照しながら説明する。
【００８５】
図４に示すように、ステップ１０において、ＭＭＥ２３０は、ｅＮＢ２１０に対して、ＵＥ１０への着信（Ｐａｇｉｎｇ）を通知する。ステップ１１において、ｅＮＢ２１０は、ＵＥ１０に対して、ＵＥ１０への着信（Ｐａｇｉｎｇ）を通知する。
【００８６】
ステップ１２において、ＵＥ１０は、ＬＴＥに係るＰＳ呼の無線接続の設定を要求するメッセージ（ＲＲＣ  ＣＯＮＮＥＣＴＩＯＮ  ＲＥＱＵＥＳＴ）をｅＮＢ２１０に送信する。
【００８７】
ステップ１３において、ｅＮＢ２１０は、ＬＴＥに係るＰＳ呼の無線接続の設定を行うメッセージ（ＲＲＣ  ＣＯＮＮＥＣＴＩＯＮ  ＳＥＴＵＰ）をＵＥ１０に送信する。
【００８８】
ステップ１４において、ＵＥ１０は、ＬＴＥに係るＰＳ呼の無線接続の設定完了を通知するメッセージ（ＲＲＣ  ＣＯＮＮＥＣＴＩＯＮ  ＳＥＴＵＰ  ＣＯＭＰＬＥＴＥ）をｅＮＢ２１０に送信する。ここで、ＵＥ１０は、ＣＳＦＢを特定する情報要素（ＣＳＦＢ  Ｉｎｄｉｃａｔｏｒ）をｅＮＢ２１０に送信する。
【００８９】
ステップ１５において、ｅＮＢ２１０は、ＣＳＦＢが必要であることを示すメッセージ（Ｉｎｉｔｉａｌ  ＵＥ  Ｍｅｓｓａｇｅ）をＭＭＥ２３０に送信する。
【００９０】
ステップ１６において、ＭＭＥ２３０は、ＰＳ呼の設定を要求するメッセージ（Ｉｎｉｔｉａｌ  Ｃｏｎｔｅｘｔ  ＳＥＴＵＰ  ＲＥＱＵＥＳＴ）をｅＮＢ２１０に送信する。メッセージ（Ｉｎｉｔｉａｌ  Ｃｏｎｔｅｘｔ  ＳＥＴＵＰ  ＲＥＱＵＥＳＴ）は、ＣＳＦＢを特定する情報要素（ＣＳＦＢ  Ｉｎｄｉｃａｔｏｒ）、ＷＣＤＭＡにおけるＵＥ１０の能力などを含む。
【００９１】
ステップ１７において、ｅＮＢ２１０は、無線接続の構成変更を通知するメッセージ（ＲＲＣ  ＣＯＮＮＥＣＴＩＯＮ  ＲＥＣＯＮＦＩＧＵＲＡＴＩＯＮ）をＵＥ１０に送信する。
【００９２】
ステップ１８において、ＵＥ１０は、無線接続の構成変更の完了を通知するメッセージ（ＲＲＣ  ＣＯＮＮＥＣＴＩＯＮ  ＲＥＣＯＮＦＩＧＵＲＡＴＩＯＮ  ＣＯＭＰ）をｅＮＢ２１０に送信する。
【００９３】
ステップ１９において、ｅＮＢ２１０は、ＰＳ呼の設定の完了を通知するメッセージ（Ｉｎｉｔｉａｌ  Ｃｏｎｔｅｘｔ  ＳＥＴＵＰ  ＣＯＭＰＬＥＴＥ）をＭＭＥ２３０に送信する。
【００９４】
ステップ２０において、ｅＮＢ２１０とＵＥ１０との間において、ＰＳ呼の設定が完了する。
【００９５】
ステップ２１において、ｅＮＢ２１０は、ＬＴＥからＷＣＤＭＡへの遷移手順（ＰＳハンドオーバ）の開始を要求するメッセージ（ＨＡＮＤＯＶＥＲ  ＲＥＱＵＩＲＥＤ）をＭＭＥ２３０に送信する。例えば、ｅＮＢ２１０は、ＬＴＥにおけるＵＥ１０のＰＳベアラの設定状況を示す情報要素をメッセージ（ＨＡＮＤＯＶＥＲ  ＲＥＱＵＩＲＥＤ）に設定する。詳細には、ｅＮＢ２１０は、ＬＴＥとＵＥ１０との間でＰＳベアラが設定されているか否かを示す情報要素、又は、ＬＴＥとＵＥ１０との間で設定されるＰＳベアラのデータ量を示す情報要素をメッセージ（ＨＡＮＤＯＶＥＲ  ＲＥＱＵＩＲＥＤ）に設定する。
【００９６】
ステップ２２において、ＭＭＥ２３０は、メッセージ（ＨＡＮＤＯＶＥＲ  ＲＥＱＵＩＲＥＤ）をＳＧＳＮ１３０に転送する。
【００９７】
ステップ２３において、ＳＧＳＮ１３０は、ＬＴＥからＷＣＤＭＡへの遷移を要求するメッセージ（ＲＥＬＯＣＡＴＩＯＮ  ＲＥＱＵＥＳＴ）をＲＮＣ１２０に送信する。メッセージ（ＲＥＬＯＣＡＴＩＯＮ  ＲＥＱＵＥＳＴ）は、ＬＴＥにおけるＵＥ１０のＰＳベアラの設定状況を示す情報要素を含む。
【００９８】
ステップ２４において、ＲＮＣ１２０は、ＬＴＥにおけるＵＥ１０のＰＳベアラの設定状況に基づいて、ＰＳベアラを設定するか否かを判定する。図４では、ＬＴＥとＵＥ１０との間でＰＳベアラが設定されていなかったため、ＲＮＣ１２０は、ＰＳベアラを設定しないと判定する。なお、上述したように、ＬＴＥとＵＥ１０との間でＰＳベアラが設定されていた場合には、ＲＮＣ１２０は、ＬＴＥとＵＥ１０との間で設定されていたＰＳベアラのデータ量が所定閾値以下であるか否かに応じて、ＰＳベアラを設定するか否かを判定してもよい。
【００９９】
ステップ２５において、ＲＮＣ１２０は、ＬＴＥからＷＣＤＭＡへの遷移の失敗を通知するメッセージ（ＲＥＬＯＣＡＴＩＯＮ  ＦＡＩＬＵＲＥ）をＳＧＳＮ１３０に送信する。なお、メッセージ（ＲＥＬＯＣＡＴＩＯＮ  ＦＡＩＬＵＲＥ）は、ＰＳベアラの設定はできないが、ＣＳベアラの設定は可能であることを示す情報を含む。例えば、メッセージ（ＲＥＬＯＣＡＴＩＯＮ  ＦＡＩＬＵＲＥ）は、遷移の失敗理由を示す“ｃａｕｓｅ”を含む。
【０１００】
ステップ２６において、ＳＧＳＮ１３０は、メッセージ（ＲＥＬＯＣＡＴＩＯＮ  ＦＡＩＬＵＲＥ）をＭＭＥ２３０に転送する。
【０１０１】
ステップ２７において、ＭＭＥ２３０は、ＬＴＥからＷＣＤＭＡへの遷移手順（ＰＳハンドオーバ）の失敗を通知するメッセージ（ＨＡＮＤＯＶＥＲ  Ｆａｉｌｕｒｅ）をｅＮＢ２１０に送信する。
【０１０２】
ステップ２８において、ｅＮＢ２１０は、ＬＴＥのＰＳ呼に係る無線接続の解放を指示するメッセージ（ＲＲＣ  ＣＯＮＮＥＣＴＩＯＮ  ＲＥＬＥＡＳＥ）をＵＥ１０に送信する。なお、メッセージ（ＲＲＣ  ＣＯＮＮＥＣＴＩＯＮ  ＲＥＬＥＡＳＥ）は、ＷＣＤＭＡへの接続を指示する情報を含む。例えば、メッセージ（ＲＲＣ  ＣＯＮＮＥＣＴＩＯＮ  ＲＥＬＥＡＳＥ）は、遷移先の周波数を示す“ｒｅｄｉｒｅｃｔｅｄＣａｒｒｉｅｒＩｎｆｏ”、再選択すべきセルの優先度を示す“ｉｄｌｅＭｏｄｅＭｏｂｉｌｉｔｙＣｏｎｔｒｏｌＩｎｆｏ”を含む。詳細には、ＵＥ１０は、ＰＳハンドオーバの代替として、他の手順（Ｒｅｄｉｒｅｃｔｉｏｎ、ＣＣＯ（Ｃｅｌｌ  Ｃｈａｎｇｅ  Ｏｒｄｅｒ）、ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）を開始する。
【０１０３】
ステップ２９において、ＵＥ１０は、ＷＣＤＭＡに係るＣＳ呼の無線接続の設定を要求するメッセージ（ＲＲＣ  ＣＯＮＮＥＣＴＩＯＮ  ＲＥＱＵＥＳＴ）をｅＮＢ２１０に送信する。
【０１０４】
ステップ３０において、ＲＮＣ１２０とＵＥ１０との間において、ＣＳ呼が設定される。
【０１０５】
なお、図４では、ＬＴＥにおいてＰＳベアラが設定されていなかったケースについて例示したが、実施形態がこれに限定されないことは勿論である。
【０１０６】
（作用及び効果）
第１実施形態では、ＲＮＣ１２０は、ＰＳハンドオーバの手順において、第１通信システムとＵＥ１０との間で第１通信呼が設定されていたか否か、或いは、第１通信システムとＵＥ１０との間で設定される第１通信呼のデータ量に基づいて、第２通信システムとＵＥ１０との間で第１通信呼のベアラを設定するか否かを判定する。
【０１０７】
従って、第２通信システムとＵＥ１０との間で設定される第１通信呼のベアラに使用されるリソースの無駄な消費を抑制して、第１通信呼のベアラに使用されるリソースを有効に利用することができる。
【０１０８】
例えば、ＲＮＣ１２０は、第１通信システムとＵＥ１０との間で第１通信呼が設定されていなかった場合に、或いは、第１通信システムとＵＥ１０との間で設定される第１通信呼のデータ量が所定閾値以下である場合に、第２通信システムとＵＥ１０との間で第１通信呼のベアラを設定せずに、第１通信呼の設定はできないが、第２通信呼の設定は可能であることを第１通信システムに通知する。これによって、第１通信呼のベアラが必要とされる可能性が低い場合に、第２通信システムにおいて、ＰＳハンドオーバの手順で第１通信呼が設定されないため、第１通信呼に必要なリソースが削減される。
【０１０９】
或いは、ＲＮＣ１２０は、第１通信システムとＵＥ１０との間で第１通信呼が設定されていなかった場合に、或いは、第１通信システムとＵＥ１０との間で設定される第１通信呼のデータ量が所定閾値以下である場合に、第２通信システムとＵＥ１０との間で第１通信呼のベアラを設定した上で、設定された第１通信呼を解放する。これによって、第１通信呼のベアラが必要とされる可能性が低い場合に、第２通信システムにおいて、ＰＳハンドオーバの手順で設定された第１通信呼の解放によって、設定された第１通信呼に必要なリソースが削減される。
【０１１０】
或いは、ＲＮＣ１２０は、第１通信システムとＵＥ１０との間で第１通信呼が設定されていなかった場合に、或いは、第１通信システムとＵＥ１０との間で設定される第１通信呼のデータ量が所定閾値以下である場合に、第２通信システムとＵＥ１０との間で第１通信呼のベアラを省リソースでを設定する。これによって、第１通信呼のベアラが必要とされる可能性が低い場合に、第２通信システムにおいて、ＰＳハンドオーバの手順で第１通信呼のベアラを省リソースで設定するため、設定された第１通信呼に必要なリソースが削減される。
【０１１１】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１２】
第１通信システム及び第２通信システムは、ＬＴＥやＷＣＤＭＡに対応する通信システムに限定されるものではなく、他の通信システム（例えば、ＷｉＭＡＸに対応する通信システム）であってもよい。
【０１１３】
例えば、上述した実施形態では、第１通信システムが第２通信呼（ＣＳ呼）をサポートしていないＬＴＥであるケースについて例示した。しかしながら、第１通信システムは、第１通信呼（ＰＳ呼）及び第２通信呼（ＣＳ呼）の双方をサポートしていてもよい。
【０１１４】
また、上述した実施形態では、ＣＳＦＢの一環としてＰＳハンドオーバが開始するケースについて例示した。しかしながら、実施形態は、ＣＳＦＢに限定されるものではない。
【０１１５】
上述した図４では、第２通信呼（ＣＳ呼）の着信について例示した。しかしながら、実施形態は、これに限定されるものではない。実施形態は、第２通信呼（ＣＳ呼）の発信にも適用することができる。
【０１１６】
上述した図４では、第１通信システムにおいて第１通信呼が設定されていないケースについて例示した。すなわち、図４では、ＵＥ１０が待ち受け状態（Ｉｄｌｅ状態）であるケースについて例示した。しかしながら、実施形態は、これに限定されるものではない。実施形態は、ＵＥ１０が通信状態（Ｃｏｎｎｅｃｔｅｄ状態）であるケースにも適用することができる。このようなケースでは、第１通信システムにおいて第１通信呼を設定する処理が省略される。
【０１１７】
上述した実施形態では、ネットワーク装置３０（ｅＮＢ２１０）は、第１通信呼の設定はできないが、第２通信呼の設定は可能であることが通知された場合に、ＰＳハンドオーバを中止して、他の手順（Ｒｅｄｉｒｅｃｔｉｏｎ、ＣＣＯ（Ｃｅｌｌ  Ｃｈａｎｇｅ  Ｏｒｄｅｒ）、ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）を開始する。しかしながら、実施形態は、これに限定されるものではない。具体的には、ネットワーク装置３０（ｅＮＢ２１０）は、第１通信システムとＵＥ１０との間で第１通信呼が設定されていなかった場合に、或いは、第１通信システムとＵＥ１０との間で設定される第１通信呼のデータ量が所定閾値以下である場合に、直ちに、ＰＳハンドオーバを中止して、他の手順による第２通信システムへの遷移をＵＥ１０に指示してもよい。このようなケースでは、第２通信システムに対する“ＨＡＮＤＯＶＥＲ  ＲＥＱＵＩＥＲＥＤ”の送信を省略することが可能である。
【０１１８】
上述した実施形態では、ネットワーク装置２０がＲＮＣ１２０であるケースについて例示した。しかしながら、実施形態は、これに限定されるものではない。ネットワーク装置２０は、ＳＧＳＮ１３０であってもよい。また、ネットワーク装置２０は、第２通信システムにおいて特定セル（フェムトセル、ＣＳＧセル又はホームセル）を管理するホームゲートウェイ（ＨＮＢ−ＧＷ）であってもよい。
【０１１９】
上述した実施形態では、ネットワーク装置３０がｅＮＢ２１０であるケースについて例示した。しかしながら、実施形態は、これに限定されるものではない。ネットワーク装置３０は、ＭＭＥ２３０であってもよい。また、ネットワーク装置３０は、第１通信システムにおいて特定セル（フェムトセル、ＣＳＧセル又はホームセル）を管理するホームゲートウェイ（ＨｅＮＢ−ＧＷ）であってもよい。
【０１２０】
なお、上述したネットワーク装置２０又はネットワーク装置３０の動作は、ハードウェアによって実施されてもよいし、プロセッサによって実行されるソフトウェアモジュールによって実施されてもよいし、両者の組み合わせによって実施されてもよい。
【０１２１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１２２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ネットワーク装置２０又はネットワーク装置３０内に設けられていてもよい。また、かかる記憶媒体及びプロセッサは、ディスクリートコンポーネントとしてネットワーク装置２０又はネットワーク装置３０内に設けられていてもよい。
【符号の説明】
【０１２３】
１０…通信端末装置、２０…ネットワーク装置、２１…通信部、２２…識別部、２３…判定部、２４…設定部、３０…ネットワーク装置、３１…通信部、３２…情報要素設定部、３３…遷移処理部、５０…コアネットワーク、１１０…ＮＢ、１１１…セル、１２０…ＲＮＣ、１３０…ＳＧＳＮ、２１０…ｅＮＢ、２１１…セル、２３０…ＭＭＥ、１００…移動通信システム
【図１】
2011166655.tif 000003
【図２】
2011166655.tif 000004
【図３】
2011166655.tif 000005
【図４】
2011166655.tif 000006